(57)【特許請求の範囲】
【請求項１】
瓶（４）と略同じ大きさを有する、瓶及び食品用の等温ポケットバッグであって、前記バッグ（１）は、柔らかく可撓性の長方形のホイルから構成され、前記ホイルは、反射性である外側の層と、防水性であり且つ反射性である内側の層と、前記外側及び内側の層の間に設けられ、断熱特性を有する２つの中間の層との四つの層からなり、前記バッグ（１）の内部の温度を全く均等に維持することが可能であり、前記バッグ（１）は、前記長方形ホイルの短い側の一方に１つの開口を有し、前記長方形ホイルを２つに折り畳むことにより作られ、次に溶接又は他の方法で接合され、２つの側によって固定されており、ここで、前記バッグ（１）は、瓶（４）の首と略同じ大きさの２つの穴（２．１、３．１）を有しており、これらの穴（２．１、３．１）は略同軸であって、バッグ（１）の使用時には前記瓶（４）の首が該穴を貫通するものであり、前記穴（２．１、３．１）は、前記長方形ホイルの短い側の開口の縁（２．２、３．２）の近傍に位置し、前記縁（２．２、３．２）及び長方形ホイルの長い側は、前記開口近傍における２つの長方形領域の境界を画定しており、前記穴（２．１、３．１）は、前記長方形領域内に位置し、前記長方形領域が２つのフラップ（２、３）として機能し、前記瓶（４）の首が、前記穴（２．１、３．１）が貫通しているとき、前記長方形領域（２、３）は、折り畳まれて前記瓶（４）の上側部分を完全にカバーし、前記穴（２．１、３．１）の両方は、前記バッグ（１）を閉じ且つ前記瓶（４）を持ち運ぶために働き、前記フラップ（２、３）の両方が、カバー及び取っ手として機能し、ただ一方の穴（２．１、３．１）が前記瓶（４）の首の上方に位置するとき、前記瓶（４）は完全にカバーされ、且つ他方の穴（２．１、３．１）は取っ手として機能し、各穴（２．１、３．１）の縁が、溶接によって補強され、弾性バンド（８）が、前記バッグ（１）を巻き上げ又は折り畳んだ後に、該バッグを閉じるものであることを特徴とする等温ポケットバッグ。
【請求項２】
弾性バンド（８）が、前記バッグ（１）に固定されないことを特徴とする、請求項１に記載の等温ポケットバッグ。
【請求項３】
穴（５）は、瓶（４）の首と同じ大きさを有して、前記長方形ホイルの開口した短い側の縁（２．２、３．２）の近傍の２つの穴（２．１、３．１）と共に、閉じた長方形ホイルの短い側に位置していることを特徴とする、請求項１に記載の等温ポケットバッグ。
【請求項４】
穴（５）は、前記長方形ホイルの閉じた短い側に位置し、瓶（４）の首と略同じ外形寸法を有していることを特徴とする、請求項１に記載の等温ポケットバッグ。
【請求項５】
穴（５）は、前記長方形ホイルの閉じた短い側の縁に位置し、小さな握り部（６）のような閉鎖具は、瓶（４）の底部及び前記２つの穴（２．１、３．１）の間に位置し、前記２つの穴（２．１、３．１）は、瓶（４）を運搬するための取っ手として作用することを特徴とする、請求項４に記載の等温ポケットバッグ。
【請求項６】
丸みのあるコーナーを備え、該コーナーの底部が折り畳むことができることを特徴とする、請求項１に記載の等温ポケットバッグ。
【請求項７】
前記各穴（２．１、３．１）の縁が伸縮性を有することを特徴とする、請求項１に記載の等温ポケットバッグ。
【請求項８】
前記各穴（２．１、３．１）の縁が、異なる材料から構成されたリングによって補強されていることを特徴とする、請求項１に記載の等温ポケットバッグ。
【請求項９】
紐は、前記等温バッグ（１）の外側に固定されており、前記等温バッグを巻き上げ又は折り畳んだ後に閉じるものであることを特徴とする、請求項１に記載の等温ポケットバッグ。
【請求項１０】
２つの長方形のホイルを接合することによって作られ、前記長方形ホイルは、前記長方形ホイルの２つの長い側と前記長方形ホイルの１つの短い側である３つの側に沿って共に固定されることを特徴とする、請求項１に記載の等温ポケットバッグ。
【発明の詳細な説明】
【０００１】
技術分野
本発明は、食物及び飲物の温度を内部で均等に保つ等温バッグに関する。
【０００２】
背景技術
人々は、浜辺やテニスコートで、又は長旅の途中などの際に、特に天候が暑く、冷蔵庫が利用できない場合には、手近に冷たい食物又は飲物（例えば水、お茶、ワイン、ソフトドリンクなど）が欲しくなることが多い。
今日広く知られているように、冷蔵庫を使用することなく食物及び飲物を冷たく維持する様々なシステムがある。このシステムには、サーモス、携帯クーラー、及び魔法瓶が含まれるが、これらには、ユーザに対する大小幾つかの欠点を有する可能性がある。サーモスは、通常扱いにくく、飲み終わった際にこれを持ち運ぶことは人に不便を感じさせる。携帯クーラー（人造氷で冷却する）は扱いにくく、持ち運ぶには重い。魔法瓶は、軽量であるが、同様に扱いにくい。従って、携帯クーラー及び魔法瓶は、ユーザが飲物と食品の両方を運ぶ場合、つまりこれらの重量及び大きさに関する不便さを全て受け入れる場合にだけ使用される。しかし、人々は、不便さの理由から上記の冷却システムをいずれも携行しない場合に、ただ1つの冷たい飲物又は小さな箱や容器に詰めた幾らかの食物（例えばヨーグルト、アイスクリーム、サンドイッチなど）を所持することを望むことが多い。従って、食物及び飲物は、特に日光の下では短い時間の間に温かくなり、食欲を損なうことになる。
多くの解決方法が、この問題を解決するために開発されてきた。例えば、米国特許番号第４，２１１，０９１号には、食物を運搬及び保管するように適合された、曲げ易い断熱ランチバッグが記載されているが、特に瓶用に特定されていない。このバッグの留め具は、接着テープによって得られる。それにもかかわらず、バッグを完全に閉じるためには、瓶全体をバッグ自体の中に入れなければならない。実際、ユーザは飲料する度に毎回バッグを開閉する必要があり、これは快適性に欠け、バッグ内外の熱交換を増大させる。記載されたバッグは、脇に曲げ易いキャリングストラップを必要であり、これにより、充満状態及び空の状態いずれでもバッグを運ぶことができる。このストラップは、塵埃及び砂を受けやすい取り外し可能な接合部材によってバッグに固定され、これはより高い製造コストと製造上の問題が生じる。
米国特許第４，６６９，６３２号は、同様に２つのガス不透過性のフィルムを備えるバッグを記載しているが、瓶用に検討された特定の開口が無い。
別の解決方法は、米国特許番号Des ４０３，９２６号及び第５，８９０，８０９号に記載されているような、特定の瓶バッグを使用することである。しかしながらこれらの容器は、瓶を完全にはカバーせず、断熱性を低下させる。米国特許番号Des ４０９，４５０号及び第５，８０４，２６５号は、実際に完全に瓶をカバーする、他の瓶用バッグに言及しているが、これらから直接飲料するための穴が無い。この場合、同様に米国特許番号第４，２１１，０９１号で記載されているように、ユーザは飲料する度に毎回バッグを開閉する必要があり、その結果として生じる暖かい空気の流入及びその作用を伴う。
米国特許番号Des ３９２，０２５は、バッグが瓶の首までカバーすることから、かなり効果的な解決方法を与えており、従ってユーザは、バッグを開くこと無く瓶の栓を開けることも可能となる。しかし残念なことに、このバッグは紐で閉じられており、その結果、塵埃、砂、及び他の非衛生的な状態を受けやすく、又製造コストが高いことも併せ持つ。開口側周囲全体に紐を備えたバッグが記載されているオランダ特許第１００１７２０も同様に、上述の不便さを生じる。
別の公知の特許は、欧州特許第０７１０６０８であり、ヒートシールされた曲げ易い多層の樹脂から形成された断熱キャリング容器が記載されている。２重になったキャリング部分は、１対の取付けフラップを有し、その各々が中央開口を有し、且つ切り込みによって取っ手部分から分離している。取付けフラップは、瓶の口にわたって、順に折り畳まれる。しかし、この２つの取付けフラップは、瓶を完全にカバーしない形状及びサイズを有する。反対に、このバッグのより長い側上の２つの空洞により、暖かい空気流が、瓶の全長に対して瓶の両側を暖める２つの間隙を生成させる。更に、キャリング取っ手が常に存在すると、飲料の際の障害となる。
【０００３】
発明の開示
本発明は、食物又は飲物の温度を均等に維持することができ、上述の冷却システムと同様の不便さが無い、全く新規の等温バッグをユーザに提供することを目的とする。
この目的は、曲げやすい等温のポケットバッグによって達成される。このバッグは、長方形のホイルを２つに折り畳むことにより作られ、次に溶接又は他の方法で接合される２つの側によって固定される。最終製品は、短い側の一方に１つのみの開口を備えたバッグである。この開口は、各々が、瓶の首と略同じサイズの穴を有する２つのフラップによって区切られる。これらの穴は、開口した短い側の縁近傍に位置する。各穴の縁は、伸縮性があるか、或いは溶接又は異なる材料から構成されたリングによって補強されることができる。この２つの穴は略同軸である。
このバッグは、瓶と略同じサイズであり、その結果、このバッグは完全に瓶を包み込むことができる。
ホイルは、特に食品のために使用される柔らかく曲げ易い３つの異なる合成材料の層から構成される。外側の層は反射性があり、中間層は断熱特性を有し、内側の層は防水性及び／又は反射性がある。また、ホイルは４つの層から構成されてもよく、この場合、外側の層が反射性であり、２つの中間の層が断熱特性を有し、一方内側の層が防水性及び／又は反射性である。また、断熱特性、反射特性及び防水特性を特徴とする単一の層を備えたホイルを使用することができる。この等温バッグは、丸みのあるコーナーを有することができ、その底部を折り畳むことができる。
【０００４】
ゴムバンド（elastic band）、紐、又はリボンをこのバッグの外側に固定して、使用の前後において、小型でポケットサイズとなるように、巻き上げ又は折り畳むことができる。ゴムバンド、紐、又はリボンは、巻き上げられ又は折り畳まれたバッグを保持し、再度広がるのを防止する。
別の解決方法は、瓶の首と略同じサイズの、閉じた短い側の穴によって与えられる。別の解決方法として、バッグは、閉じた短い側に単一の穴を有することができる。この場合、短い側の縁は、小さな握り部及び取っ手のような閉鎖具を備えることができる。
また、バッグは、２つの長方形のホイルを接合することによって作ることができ、該ホイルは、２つの長い側と１つの短い側である３つの側に沿って共に固定される。この等温バッグは、他の冷却システムから提供される多くの利点を有するが、それらの欠点は有さない。実際、このバッグは扱いやすく非常に軽量であり、再使用することができ、破れにくく、持ち運びし易く使い勝手がよい。このバッグは、ポケットサイズのバッグであり、従って非常に簡単に収納でき、全く邪魔にならない。
材料が非常に軽量であることから、バッグの重量は極めて小さい。しかしながら、材料は非常に軽量であるが、極めて耐久性があり、そのためバッグは何回も使用することができる。他方、このバッグは非常に安価であり、１回だけの使用後に廃棄することができる。
また、このバッグの穴は、取っ手として使用してもよく、ユーザは一本の指で穴を保持することにより瓶を簡単に携行することができる。
通常の保温バッグと違い、このバッグが完全に瓶を包み込むことにより、従って断熱性（heat insulation）が増大する。バッグの穴により、ユーザは飲む度に毎回バッグを開閉する必要なく、瓶からまっすぐに飲むことが可能となり、従ってバッグ内外の熱交換を低減する。バッグの閉鎖具は、簡単で機能性があり、同時に衛生的である。
このバッグの主要な利点の１つは、その衛生的な特質にある。実際、バッグは特に食物又は飲物用に使用される防水性の材料から構成される。結露（冷たい瓶が温かい空気と接触すると発生する）は、本発明によって極めて低減され、その結果、バッグは、結露と、瓶が置かれている場所の表面上にある物質（砂、海草、赤色土（red earth）、塵埃）との間の非衛生的な混合を回避することができる。このようにして、ユーザは、ハンドバッグ、ベルトバッグ、リュックサックなどのような、等温バッグが置かれている入れ物又は手が、汚れるのを避けることができる。更に、このバッグは、防水性の材料から構成されていることから、簡単に洗うことができる。
本発明の更なる特性及び利点は、上述のバッグの具体的な幾つかの実施態様の説明で明らかになるであろう。この実施態様は、好ましいが、必須のものでは無く、添付図面の説明の目的にのみ与えられる。
【０００５】
発明を実施するための最良の形態
図１は、第１の実施態様によって製造されたバッグの正面図である。
図２は、第１のフラップが、瓶の首及び上側部分を包んだときのバッグの正面図である。
図３は、両方のフラップが、瓶の首及び上側部分を包んだときのバッグの正面図である。
図４は、丸く巻かれた時のバッグの斜視図である。
図５は、第２の実施態様によって製造されたバッグの正面図である。
図６は、第３の実施態様によって製造されたバッグの正面図である。
【０００６】
第１の実施態様によって製造された等温バッグ１は、長方形のホイルを短い側に沿って２つに折り畳み、次に２つの長い側を溶接で接合することにより作られる。最終製品は、第２の短い側にただ１つの開口を備えたバッグである。この開口は、２つのフラップ２、３で境界が設定されている。各フラップ２、３は、瓶の首４とほぼ同じ大きさの穴２．１、３．１を有する。これらの穴２．１、３．１は、開口した短い側の縁２．２、３．２の近傍に位置する。
バッグ１の寸法（dimensions）は、瓶４とほぼ同じである。
長方形のホイルは、ＰＥＴのような、特に食品用に使用される、柔らかく曲げ易い合成材料の３つの異なる層から構成される。外側の層は反射性があり、中間層は断熱特性を有し、内側の層は防水性及び／又は反射性がある。
瓶４の冷水の温度を、日光の下においても可能な限り長い間均等に維持したい場合には、瓶は等温バッグ１へ入れられる。このサイズのおかげで、バッグ１は、瓶４を完全に及び全体的に包み込む場合と同様となる。
第１のフラップ２の穴２．１は、瓶の首４の端部と一致する必要がある。瓶の首は、穴２．１の内部に置かれる。次にフラップ２を瓶４の上側部分を完全にカバーするまで折り畳む。第２のフラップ３の穴３．１は、瓶の首４の端部と一致する必要がある。また、瓶の首は穴３．１の内部に置かれる。次に第２のフラップ３は、第１のフラップ２を完全にカバーするまで折り畳む。その結果、瓶４の上側部分は、バッグ１によって完全にカバーされ、且つ瓶の首が２つの穴２．１、３．１から出るので、フラップ２、３を開くことなく瓶から飲むことが可能となる。
２つの穴２．１、３．１の縁が瓶の首４上に嵌められているので、２つのフラップ２、３は、上に持ち上げられることはできない。
また、第２の実施態様によって製造された等温バッグ１は、瓶の首４とほぼ同じサイズの穴５を備えた、閉じた短い側を有する。この場合、瓶４はバッグ１に入れられて、瓶の首が穴５を貫通するようになっている。２つの穴２．１、３．１は、瓶４を中に入れてバッグ１を持ち運ぶための取っ手としての役目をする。
第３の実施形態によって製造された等温バッグ１は、開口した短い側には穴２．１、３．１を有さず、一方、閉じた短い側は上述の穴５を有する。この場合、開口した短い側には、瓶４を中に入れてバッグ１を持ち運ぶための小さな握り部６及び取っ手７のような閉鎖具を備える。
バッグ１は、非常に軽量の材料から構成され、その結果ユーザは瓶を携行している間、バッグの重量を感じない。しかしながら、この材料の特質によって、極めて衛生的な状態で瓶４内部の液体の温度を均等に保つことが可能になる。
一旦、使用されたバッグ１は、丸く巻くことができ、その結果小型でポケットサイズになる。紐８は、バッグ１が再度広がるのを防止する。
【図１】
0004038428.tif 000002
【図２】
0004038428.tif 000003
【図３】
0004038428.tif 000004
【図４】
0004038428.tif 000005
【図５】
0004038428.tif 000006
【図６】
0004038428.tif 000007